(57)【要約】【課題】本発明は、コード分割多重接続（ＣＤＭＡ）通信システムと日本式コード分割多重接続（ＪＣＤＭＡ）通信システムの選択的使用時の機能の共有に関する。【解決手段】コード分割多重接続通信システムと日本式コード分割多重接続通信システムを選択的に使用可能な携帯端末機において、アンテナを介して受信した信号から前記コード分割多重接続通信システムが使用する受信信号または前記日本式コード分割多重接続通信システムが使用する受信信号のうち一つの受信信号を選択的に分離し、前記分離した信号を低雑音増幅器に出力する第１スイッチ部と、前記低雑音増幅器が出力した信号から使用中の通信システムの周波数帯域のみを分離した特定帯域の信号を混合器（Ｍｉｘｅｒ）に出力する第２スイッチ部と、を含むことで、設計費用と特定機能の  重複具現時の複雑度、実際具現時の実装面積を減らすことができる。【選択図】図２
2007300645.tif 000002
【特許請求の範囲】
【請求項１】
コード分割多重接続（ＣＤＭＡ：Ｃｏｄｅ  Ｄｉｖｉｓｉｏｎ  Ｍｕｌｔｉｐｌｅ  Ａｃｃｅｓｓ）通信システムと日本式コード分割多重接続（ＪＣＤＭＡ：Ｊａｐａｎ  Ｃｏｄｅ  Ｄｉｖｉｓｉｏｎ  Ｍｕｌｔｉｐｌｅ  Ａｃｃｅｓｓ）通信システムを選択的に使用可能な携帯端末機において、
アンテナを介して受信した信号から前記コード分割多重接続通信システムが使用する受信信号または前記日本式コード分割多重接続通信システムが使用する受信信号のうち一つの受信信号を選択的に分離し、前記分離した信号を低雑音増幅器（ＬＮＡ：Ｌｏｗ  Ｎｏｉｓｅ  Ａｍｐｌｉｆｉｅｒ）に出力する第１スイッチ部と、
前記低雑音増幅器が出力した信号から使用中の通信システムの周波数帯域のみを分離した特定帯域の信号を混合器（Ｍｉｘｅｒ）に出力する第２スイッチ部と、を含むことを特徴とする携帯端末機。
【請求項２】
前記第１スイッチ部は、
前記アンテナと、前記コード分割多重接続通信システムの送受転換器または前記日本式コード分割多重接続通信システムの送受転換器のうち一つの送受転換器とを連結する第１スイッチと、
前記コード分割多重接続通信システムの送受転換器または前記日本式コード分割多重接続通信システムの送受転換器のうち一つの送受転換器と、前記低雑音増幅器とを連結する第２スイッチと、を含むことを特徴とする請求項１に記載の携帯端末機。
【請求項３】
前記第２スイッチ部は、
前記低雑音増幅器と、前記コード分割多重接続通信システムの受信部帯域濾波器（Ｂａｎｄ  Ｐａｓｓ  Ｆｉｌｔｅｒ）または前記日本式コード分割多重接続通信システムの受信部帯域濾波器のうち一つの濾波器とを連結する第３スイッチと、
前記コード分割多重接続通信システムの受信部帯域濾波器または前記日本式コード分割多重接続通信システムの受信部帯域濾波器のうち一つの受信部帯域濾波器と、前記混合器とを連結する第４スイッチと、を含むことを特徴とする請求項１に記載の携帯端末機。
【請求項４】
前記コード分割多重接続通信システムの受信部帯域濾波器と前記日本式コード分割多重接続通信システムの受信部帯域濾波器の出力端が、それぞれ二つであり、
前記第２スイッチ部は、
前記コード分割多重接続通信システムの受信部帯域濾波器または前記日本式コード分割多重接続通信システムの受信部帯域濾波器のうち一つの受信部帯域濾波器と、前記混合器とを連結する第５スイッチをさらに含むことを特徴とする請求項３に記載の携帯端末機。
【請求項５】
前記携帯端末機は、前記第１、第２、第３、第４、第５スイッチを制御して、前記携帯端末機を、前記コード分割多重接続通信システムモードまたは前記日本式コード分割多重接続通信システムモードのうち一つの通信システムモードで動作させる制御部をさらに含むことを特徴とする請求項２または４に記載の携帯端末機。
【請求項６】
前記第１スイッチは、前記携帯端末機が前記コード分割多重接続通信システムモードで動作する場合、前記アンテナと前記コード分割多重接続通信システムの送受転換器とを連結し、前記日本式コード分割多重接続通信システムモードで動作する場合、前記アンテナと前記日本式コード分割多重接続通信システムの送受転換器とを連結することを特徴とする請求項５に記載の携帯端末機。
【請求項７】
前記第２スイッチは、前記携帯端末機が前記コード分割多重接続通信システムモードで動作する場合、前記コード分割多重接続通信システムの送受転換器と前記低雑音増幅器とを連結し、前記日本式コード分割多重接続通信システムモードで動作する場合、前記日本式コード分割多重接続通信システムの送受転換器と前記低雑音増幅器とを連結することを特徴とする請求項５に記載の携帯端末機。
【請求項８】
前記第３スイッチは、前記携帯端末機が前記コード分割多重接続通信システムモードで動作する場合、前記低雑音増幅器を前記コード分割多重接続通信システムの受信部帯域濾波器と連結し、前記日本式コード分割多重接続通信システムモードで動作する場合、前記低雑音増幅器を前記日本式コード分割多重接続通信システムの受信部帯域濾波器に連結することを特徴とする請求項５に記載の携帯端末機。
【請求項９】
前記第４スイッチは、前記携帯端末機が前記コード分割多重接続通信システムモードで動作する場合、前記コード分割多重接続通信システムの受信部帯域濾波器を前記混合器と連結し、前記日本式コード分割多重接続通信システムモードで動作する場合、前記日本式コード分割多重接続通信システムの受信部帯域濾波器を前記混合器と連結することを特徴とする請求項５に記載の携帯端末機。
【請求項１０】
前記第５スイッチは、前記携帯端末機が前記コード分割多重接続通信システムモードで動作する場合、前記コード分割多重接続通信システムの受信部帯域濾波器を前記混合器と連結し、前記日本式コード分割多重接続通信システムモードで動作する場合、前記日本式コード分割多重接続通信システムの受信部帯域濾波器を前記混合器に連結することを特徴とする請求項５に記載の携帯端末機。
【請求項１１】
コード分割多重接続通信システムと日本式コード分割多重接続通信システムを選択的に使用可能な携帯端末機において、
前記アンテナと、前記コード分割多重接続通信システムの送受転換器または前記日本式コード分割多重接続通信システムの送受転換器のうち一つの送受転換器とを連結する第１スイッチと、
前記コード分割多重接続通信システムの送受転換器または前記日本式コード分割多重接続通信システムの送受転換器のうち一つの送受転換器と、前記低雑音増幅器とを連結する第２スイッチと、を含むことを特徴とする携帯端末機。
【請求項１２】
前記携帯端末機は、
前記低雑音増幅器と、前記コード分割多重接続通信システムの受信部帯域濾波器（Ｂａｎｄ  Ｐａｓｓ  Ｆｉｌｔｅｒ）または前記日本式コード分割多重接続通信システムの受信部帯域濾波器のうち一つの濾波器とを連結する第３スイッチと、
前記コード分割多重接続通信システムの受信部帯域濾波器または前記日本式コード分割多重接続通信システムの受信部帯域濾波器のうち一つの受信部帯域濾波器と、前記混合器とを連結する第４スイッチと、をさらに含むことを特徴とする請求項１１に記載の携帯端末機。
【請求項１３】
前記コード分割多重接続通信システムの受信部帯域濾波器と前記日本式コード分割多重接続通信システムの受信部帯域濾波器の出力端が、それぞれ二つであり、
前記携帯端末機は、
前記コード分割多重接続通信システムの受信部帯域濾波器または前記日本式コード分割多重接続通信システムの受信部帯域濾波器のうち一つの受信部帯域濾波器と、前記混合器とを連結する第５スイッチをさらに含むことを特徴とする請求項１２に記載の携帯端末機
【請求項１４】
前記携帯端末機は、前記第１、第２、第３、第４、第５スイッチを制御して、前記携帯端末機を、前記コード分割多重接続通信システムモードまたは前記日本式コード分割多重接続通信システムモードのうち一つの通信システムモードで動作させる制御部をさらに含むことを特徴とする請求項１３に記載の携帯端末機。
【請求項１５】
前記第１スイッチは、前記携帯端末機が前記コード分割多重接続通信システムモードで動作する場合、前記アンテナと前記コード分割多重接続通信システムの送受転換器とを連結し、前記日本式コード分割多重接続通信システムモードで動作する場合、前記アンテナと前記日本式コード分割多重接続通信システムの送受転換器とを連結することを特徴とする請求項１４に記載の携帯端末機。
【請求項１６】
前記第２スイッチは、前記携帯端末機が前記コード分割多重接続通信システムモードで動作する場合、前記コード分割多重接続通信システムの送受転換器と前記低雑音増幅器とを連結し、前記日本式コード分割多重接続通信システムモードで動作する場合、前記日本式コード分割多重接続通信システムの送受転換器と前記低雑音増幅器とを連結することを特徴とする請求項１４に記載の携帯端末機。
【請求項１７】
前記第３スイッチは、前記携帯端末機が前記コード分割多重接続通信システムモードで動作する場合、前記低雑音増幅器を前記コード分割多重接続通信システムの受信部帯域濾波器と連結し、前記日本式コード分割多重接続通信システムモードで動作する場合、前記低雑音増幅器を前記日本式コード分割多重接続通信システムの受信部帯域濾波器に連結することを特徴とする請求項１４に記載の携帯端末機。
【請求項１８】
前記第４スイッチは、前記携帯端末機が前記コード分割多重接続通信システムモードで動作する場合、前記コード分割多重接続通信システムの受信部帯域濾波器を前記混合器と連結し、前記日本式コード分割多重接続通信システムモードで動作する場合、前記日本式コード分割多重接続通信システムの受信部帯域濾波器を前記混合器と連結することを特徴とする請求項１４に記載の携帯端末機。
【請求項１９】
前記第５スイッチは、前記携帯端末機が前記コード分割多重接続通信システムモードで動作する場合、前記コード分割多重接続通信システムの受信部帯域濾波器を前記混合器と連結し、前記日本式コード分割多重接続通信システムモードで動作する場合、前記日本式コード分割多重接続通信システムの受信部帯域濾波器を前記混合器に連結することを特徴とする請求項１４に記載の携帯端末機。
【発明の詳細な説明】
【技術分野】
【０００１】
本発明は、コード分割多重接続（ＣＤＭＡ：Ｃｏｄｅ  Ｄｉｖｉｓｉｏｎ  Ｍｕｌｔｉｐｌｅ  Ａｃｃｅｓｓ）通信システムと日本式コード分割多重接続（ＪＣＤＭＡ：Ｊａｐａｎ  Ｃｏｄｅ  Ｄｉｖｉｓｉｏｎ  Ｍｕｌｔｉｐｌｅ  Ａｃｃｅｓｓ）通信システムの選択的使用時の機能の共有に関し、特に、前記ＣＤＭＡ通信システムとＪＣＤＭＡ通信システムのうち一つを選択的に使用可能な携帯端末機で特定部分を共用できるようにする装置に関する。
【背景技術】
【０００２】
携帯端末機の製造技術の進歩に伴って、異種の通信システムでも動作可能な携帯端末機が開発されている。現在、我が国で実用化されているＣＤＭＡ通信システムが使う通信周波数は、１ＧＨｚ未満の帯域を使用する場合は、送信周波数で約８２４ＭＨｚ〜８４９ＭＨｚ帯域、受信周波数で約８６９ＭＨｚ〜８９４ＭＨｚ帯域を使用している。
【０００３】
一方、前記JＣＤＭＡ通信システムも８００ＭＨｚ帯域の周波数を使用しているが、送信周波数で約８９８ＭＨｚ〜９２４ＭＨｚ帯域、受信周波数で約８４３ＭＨｚ〜８６９ＭＨｚ帯域を使用している。すなわち、前記ＣＤＭＡ通信システムと前記JＣＤＭＡ通信システムでは、使用する周波数帯域は異なるが、前記ＣＤＭＡ通信システムの送信周波数帯域は、前記JＣＤＭＡ通信システムの受信周波数帯域に近く、前記ＣＤＭＡ通信システムの受信周波数帯域は、前記JＣＤＭＡ通信システムの送信周波数帯域に近い。
【０００４】
図１は、従来技術に係るＣＤＭＡ通信システムとJＣＤＭＡ通信システムが使用可能な携帯用端末機の受信機能ブロックとスイッチを図示した図面である。
図１に示すように、前記ＣＤＭＡ通信システムの送受信周波数帯域と前記JＣＤＭＡ通信システムの送受信周波数帯域は互いに異なるので、送受転換器（Ｄｕｐｌｅｘｅｒ）１０５、１１３を含めて、受信部帯域濾波器（Ｂａｎｄ  Ｐａｓｓ  Ｆｉｌｔｅｒ）１０９、１１７などのように、特定周波数だけに選択的に動作する機能ブロックは、それぞれの周波数帯域に対応して使われる。
【０００５】
スイッチ１０３は、制御部１０１の制御によって、前記ＣＤＭＡ通信システムと前記JＣＤＭＡ通信システムのうち、特定通信システムを選択する。前記制御部１０１は、使用者の選択によって前記スイッチ１０３を動作させて、前記特定通信システムを使うモードで前記携帯用端末機を動作させることができる。
【０００６】
ＣＤＭＡ送受転換器１０５、低雑音増幅器（ＬＮＡ：Ｌｏｗ  Ｎｉｏｓｅ  Ａｍｐｌｉｆｉｅｒ）１０７、ＣＤＭＡ受信部帯域濾波器１０９、及び混合器（Ｍｉｘｅｒ）１１１は、ＣＤＭＡ通信で使われ、JＣＤＭＡ送受転換器１１３、低雑音増幅器１１５、JＣＤＭＡ受信部帯域濾波器１１７、及び混合器１１９は、JＣＤＭＡ通信で使われる。
【０００７】
前記スイッチ１０３によりアンテナ１００と前記ＣＤＭＡ送受転換器１０５が連結された場合、すなわち、前記携帯用端末機がＣＤＭＡモードで動作する場合、前記アンテナ１００から受信された信号は、前記ＣＤＭＡ送受転換器１０５、前記低雑音増幅器１０７、及び前記ＣＤＭＡ受信部帯域濾波器１０９を通して、前記混合器１１１に伝達される。
【０００８】
前記スイッチ１０３により前記アンテナ１００と前記JＣＤＭＡ送受転換器１１３が連結された場合、すなわち、前記携帯用端末機がJＣＤＭＡモードで動作する場合、前記アンテナ１００から受信された信号は、前記JＣＤＭＡ送受転換器１１３、前記低雑音増幅器１１５、及び前記JＣＤＭＡ受信部帯域濾波器１１７を通して、前記混合器１１９に伝達される。
【０００９】
前記ＣＤＭＡ通信システムの機能ブロックのうち、前記ＣＤＭＡ送受転換器１０５は前記アンテナ１００と連結され、前記アンテナ１００を通して受信された信号から受信信号を選択する。
前記ＣＤＭＡ送受転換器１０５から出力された信号は、送信過程で減衰したり、または雑音の影響により前記雑音を含み、非常に低い信号レベルを持つため、前記低雑音増幅器１０７を使って、雑音を最小化した状態に増幅する。
【００１０】
前記低雑音増幅器１０７から出力された信号には、色々な帯域の周波数が含まれているので、前記ＣＤＭＡ受信部帯域濾波器１０９を使って、前記通信システムが使う周波数帯域のみを抽出する。
【００１１】
前記受信部帯域濾波器１０９で抽出した信号は、基地局が提供した元の信号に対して位相差と時間遅延（Ｔｉｍｅ  Ｄｅｌａｙ）が発生した信号でありうる。よって、前記位相差と時間遅延を補償するため、同一な信号が差動（Ｄｉｆｆｅｒｅｎｔｉａｌ）出力されるよう、二つの出力端が構成されることができる。前記の従来技術による前記受信部帯域濾波器１０９は、一つの入力端と二つの出力端を備える。
【００１２】
前記混合器１１１は、前記基地局からの元の信号を復元する。前記ＣＤＭＡ受信部帯域濾波器１０９から出力された信号は、前記基地局が前記元の信号を搬送周波数に含めて伝送した信号なので、前記混合器１１１は、前記搬送周波数を除去して前記元の信号を復元する。以後の過程は図示されていないが、前記元の信号からの同期化処理(synchronization process)と情報獲得処理(data acquisition process)が行われる。
【００１３】
前記スィッチ１０３により前記アンテナ１００と前記ＪＣＤＭＡ送受転換器１１３が連結された場合、すなわち、前記携帯用端末機がＪＣＤＭＡモードで動作する場合、それぞれの機能ブロック、すなわち、前記JＣＤＭＡ送受転換器１１３、前記低雑音増幅器１１５、前記JＣＤＭＡ受信部帯域濾波器１１７、及び前記混合器１１９の機能は、前記ＣＤＭＡ通信システムの機能ブロックと同様である。
【００１４】
前記ＣＤＭＡ通信システムと前記JＣＤＭＡ通信システムは、使用する周波数帯域には差があるが、前記ＣＤＭＡ通信システムの送信周波数帯域は前記JＣＤＭＡ通信システムの受信周波数帯域に近く、前記ＣＤＭＡ通信システムの受信周波数帯域は、前記JＣＤＭＡ通信システムの送信周波数帯域に近い。よって、図１において、前記低雑音増幅器１０７、１１５、及び前記混合器１１１、１１９の機能ブロックは、前記２種類の通信システムにより共有されることが可能である。
【００１５】
しかし、図１のような既存の構造には、使われる機能ブロックが重複されているので、実際の具現時に、重複されない場合と比べて、必要な実装面積が大きくなり、重複により構成が複雑になるという問題点がある。
【特許文献１】韓国特許公開第２００５−１８３７３号
【発明の開示】
【発明が解決しようとする課題】
【００１６】
本発明の目的は、コード分割多重接続（ＣＤＭＡ）通信システムと日本式コード分割多重接続（ＪＣＤＭＡ）通信システムが選択的に使用可能な携帯用端末機で、特定機能を共有させる装置を提供することにある。
【００１７】
本発明の他の目的は、前記コード分割多重接続通信システムと日本式コード分割多重接続通信システムが選択的に使用可能な携帯用端末機で、具現時に共用可能な機能を共用させる装置を提供することにある。
【課題を解決するための手段】
【００１８】
前記目的を達成すべく、本発明に係る形態端末機によれば、コード分割多重接続通信システムと日本式コード分割多重接続通信システムを選択的に使用可能な携帯端末機において、アンテナを介して受信した信号から前記コード分割多重接続通信システムが使用する受信信号または前記日本式コード分割多重接続通信システムが使用する受信信号のうち一つの受信信号を選択的に分離し、前記分離した信号を低雑音増幅器（ＬＮＡ：Ｌｏｗ  Ｎｏｉｓｅ  Ａｍｐｌｉｆｉｅｒ）に出力する第１スイッチ部と、前記低雑音増幅器が出力した信号から使用中の通信システムの周波数帯域のみを分離した特定帯域の信号を混合器（Ｍｉｘｅｒ）に出力する第２スイッチ部と、を含むことを特徴とする。
【００１９】
また、本発明に係る携帯端末機によれば、コード分割多重接続通信システムと日本式コード分割多重接続通信システムを選択的に使用可能な携帯端末機において、前記アンテナと、前記コード分割多重接続通信システムの送受転換器または前記日本式コード分割多重接続通信システムの送受転換器のうち一つの送受転換器とを連結する第１スイッチと、前記コード分割多重接続通信システムの送受転換器または前記日本式コード分割多重接続通信システムの送受転換器のうち一つの送受転換器と、前記低雑音増幅器とを連結する第２スイッチと、を含むことを特徴とする。
【発明の効果】
【００２０】
本発明によれば、共用可能な機能ブロックを共有することで、設計費用と特定機能の重複具現時の複雑度、実際具現時の実装面積を減らすことができる。
【発明を実施するための最良の形態】
【００２１】
以下、本発明の好ましい実施の形態を、添付図面に基づき詳細に説明する。本発明を説明するにあたって、関連した公知機能あるいは構成についての具体的な説明が本発明の要旨を逸脱すると判断された場合、その詳細な説明を省略する。
以下、本発明は、ＣＤＭＡ通信システムとＪＣＤＭＡ通信システムが使用可能な携帯用端末機装置を提供するだけでなく、共用可能な機能が重複されないようにする装置を提供する。
【００２２】
図２は、本発明の実施の形態に係るＣＤＭＡ通信システムとＪＣＤＭＡ通信システムが使用可能な携帯用端末機の受信機能ブロックとスイッチを図示した図面である。
図２に示すように、前記ＣＤＭＡ通信システムとＪＣＤＭＡ通信システムが使用可能な携帯用端末機は、アンテナ２００、第１スイッチ２０３、ＣＤＭＡ送受転換器２０５、ＪＣＤＭＡ送受転換器２１９、第２スイッチ２０７、低雑音増幅器２０９、第３スイッチ２１１、ＣＤＭＡ受信部帯域濾波器２１３、ＪＣＤＭＡ受信部帯域濾波器２２１、第４スイッチ２１５、第５スイッチ２２３、及び混合器２１７で構成されることができる。
【００２３】
前記送受転換器２０５、２１９は、第１スイッチ２０３を介して前記アンテナ２００に連結され、前記アンテナ２００を介して受信した信号から、周波数帯域が相違する送・受信信号を分離する。また、前記送受転換器２０５、２１９は、前記二つの通信システムの送・受信周波数帯域が相違するので、各々の通信システム周波数帯域に対応する機能ブロックが使用される。そして、前記受信部帯域濾波器２１３、２２１は、所定の受信周波数帯域のみを抽出するので、前記二つの通信システムの規格に対応する機能ブロックが使用される。
【００２４】
一方、前記ＣＤＭＡ通信システムの送・受信周波数帯域と前記ＪＣＤＭＡ通信システムの送・受信周波数帯域は相違するが、近似する帯域の周波数（すなわち、前記ＣＤＭＡ通信システムと前記ＪＣＤＭＡ通信システムは、使用する周波数帯域の差はあるが、前記ＣＤＭＡ通信システムの送信周波数帯域は、前記ＪＣＤＭＡ通信システムの受信周波数帯域に近く、前記ＣＤＭＡ通信システムの受信周波数帯域は、前記ＪＣＤＭＡ通信システムの送信周波数帯域に近い）が使用されるので、前記低雑音増幅器２０９、前記混合器２１７のような機能ブロックは共有が可能である。
【００２５】
前記ＣＤＭＡ通信システムと前記ＪＣＤＭＡ通信システムが使用可能な携帯用端末機は、前記制御部２０１の指示による前記スイッチ２０３、２０７、２１１、２１５、２２３の動作により、前記ＣＤＭＡ通信システムまたはＪＣＤＭＡ通信システムのうち、一つの通信システムモードで動作することができる。
【００２６】
前記第１スイッチ２０３は、前記制御部２０１の制御によって、前記アンテナ２００を前記ＣＤＭＡ送受転換器２０５と前記ＪＣＤＭＡ送受転換器２１９のうちの一つと連結する。
前記第２スイッチ２０７は、前記制御部２０１の制御によって、前記ＣＤＭＡ送受転換器２０５と前記低雑音増幅器２０９、または前記ＪＣＤＭＡ送受転換器２１９と前記低雑音増幅器２０９を選択的に連結して、前記低雑音増幅器２０９の共有を可能とする。
【００２７】
前記第３スイッチ２１１は、前記制御部２０１の制御によって、前記低雑音増幅器２０９を前記ＣＤＭＡ受信部帯域濾波器２１３と前記ＪＣＤＭＡ受信部帯域濾波器２２１のうちの一つと連結する。
【００２８】
前記ＣＤＭＡ受信部帯域濾波器２１３または前記ＪＣＤＭＡ受信部帯域濾波器２２１から出力された信号は、基地局が提供した元の信号から位相差と時間遅延が発生した信号でありうる。よって、前記位相差と時間遅延を前記混合器２１７で補償するために、複数の出力ポートを具備して、入力された信号を濾波（ｆｉｌｔｅｒｉｎｇ）して差動（Ｄｉｆｆｅｒｅｎｔｉａｌ）出力することができる。
【００２９】
図２では、一つの入力端と二つの出力端で構成された前記ＣＤＭＡ受信部帯域濾波器２１３と前記ＪＣＤＭＡ受信部帯域濾波器２２１が使用される。したがって、前記ＣＤＭＡ受信部帯域濾波器２１３と前記ＪＣＤＭＡ受信部帯域濾波器２２１各々の出力を前記混合器２１７に連結するスイッチは、二つの入力端を必要とする。
【００３０】
前記第４スイッチ２１５の入力端Ａは、前記ＣＤＭＡ受信部帯域濾波器２１３の出力端Ａと連結され、前記第４スイッチ２１５の入力端Ｂは、前記ＪＣＤＭＡ受信部帯域濾波器２２１の出力端Ａと連結される。そして、前記第５スイッチ２２３の入力端Ａは、前記ＣＤＭＡ受信部帯域濾波器２１３の出力端Ｂと連結され、前記第５スイッチ２２３の入力端Ｂは、前記ＪＣＤＭＡ受信部帯域濾波器２２１の出力端Ｂと連結される。
【００３１】
すなわち、前記第４スイッチ２１５と前記第５スイッチ２２３は、前記制御部２０１の制御によって、前記ＣＤＭＡ受信部帯域濾波器２１３またはＪＣＤＭＡ受信部帯域濾波器２２１のうちの一つと前記混合器２１７とを連結する。
【００３２】
結果的に、前記携帯用端末機が前記ＣＤＭＡ通信システムモードで動作する場合、前記アンテナ２００から受信された信号は、第１スイッチ２０３を介して前記ＣＤＭＡ送受転換器２０５に伝送され、前記ＣＤＭＡ送受転換器２０５から出力された信号は、前記第２スイッチ２０７を介して前記低雑音増幅器２０９に伝送される。前記低雑音増幅器２０９から出力された信号は、前記第３スイッチ２１１を介して前記ＣＤＭＡ受信部帯域濾波器２１３に伝送され、前記ＣＤＭＡ受信部帯域濾波器２１３から出力された信号は、前記第４スイッチ２１５と前記第５スイッチ２２３を介して、前記混合器２１７に伝送される。
【００３３】
一方、前記携帯用端末機が前記ＪＣＤＭＡ通信システムモードで動作する場合、前記アンテナ２００から受信された信号は、第１スイッチ２０３を介して前記ＪＣＤＭＡ送受転換器２１９に伝送され、前記ＪＣＤＭＡ送受転換器２１９から出力された信号は、前記第２スイッチ２０７を介して前記低雑音増幅器２０９に伝送される。前記低雑音増幅器２０９から出力された信号は、前記第３スイッチ２１１を介して前記ＪＣＤＭＡ受信部帯域濾波器２２１に伝送され、前記ＪＣＤＭＡ受信部帯域濾波器２２１から出力された信号は、前記第４スイッチ２１５と前記第５スイッチ２２３を介して前記混合器２１７に伝送される。
【００３４】
以上、本発明の詳細な説明では具体的な実施の形態について説明したが、本発明の範囲から逸脱しない限度内で様々な変形が可能であることは明白である。したがって、本発明の範囲は、上述の実施の形態に限定されるのではなく、添付の特許請求の範囲だけでなく本特許請求の範囲と均等なものにより定まるべきである。
【図面の簡単な説明】
【００３５】
【図１】従来技術に係るＣＤＭＡ通信システムとＪＣＤＭＡ通信システムが使用可能な携帯用端末機の受信機能ブロックとスイッチを図示した図面である。
【図２】本発明の実施の形態に係るＣＤＭＡ通信システムとＪＣＤＭＡ通信システムが使用可能な携帯用端末機の受信機能ブロックとスイッチを図示した図面である。
【符号の説明】
【００３６】
２００；アンテナ
２０１；制御部
２０３；第１スイッチ
２０５；ＣＤＭＡ送受転換器
２０７；第２スイッチ
２０９；低雑音増幅器２０９
２１１；第３スイッチ
２１３；ＣＤＭＡ受信部帯域濾波器
２１５；第４スイッチ
２１７；混合器
２１９；ＪＣＤＭＡ送受転換器
２２１；ＪＣＤＭＡ受信部帯域濾波器
２２３；第５スイッチ
【図１】
2007300645.tif 000003
【図２】
2007300645.tif 000004